(57)【要約】  駆動電圧の供給源と配線の接続を簡略化することが可能な照明装置を提供する。  照明装置は、冷陰極蛍光ランプ１と、駆動電圧を生成し当該駆動電圧を冷陰極蛍光ランプ１に供給する駆動手段２と、駆動手段２が前記駆動電圧を生成している間に駆動手段２から発せられる磁束の変化に応じて電力を生成する発電手段４と、前記電力が供給された場合に、冷陰極蛍光ランプ１内に初期電子を生成する生成手段５と、を含む。
2009020006.tif 000002
【特許請求の範囲】
【請求項１】
冷陰極蛍光ランプと、
駆動電圧を生成し、当該駆動電圧を前記冷陰極蛍光ランプに供給する駆動手段と、
前記駆動手段が前記駆動電圧を生成している間に当該駆動手段から発せられる磁束の変化に応じて、電力を生成する発電手段と、
前記発電手段にて生成された電力が供給された場合に、前記冷陰極蛍光ランプ内に初期電子を生成する生成手段と、を含む照明装置。
【請求項２】
前記生成手段は、前記電力が供給された場合に、前記冷陰極蛍光ランプに光を照射する発光手段である、請求の範囲第１項に記載の照明装置。
【請求項３】
前記発光手段は、ＬＥＤである、請求の範囲第２項に記載の照明装置。
【請求項４】
前記発電手段は、コイルである、請求の範囲第１項から第３項のいずれか１項に記載の照明装置。
【請求項５】
前記駆動手段を内蔵する筐体と、
前記筐体に載置されたシート部材と、をさらに含み、
前記シート部材には、前記発電手段および前記生成手段が載置され、
前記冷陰極蛍光ランプは、前記生成手段と対向するように、前記筐体に取り付けられる、請求の範囲第１項から第４項のいずれか１項に記載の照明装置。
【発明の詳細な説明】
【技術分野】
【０００１】
本発明は、照明装置に関し、特には、冷陰極蛍光ランプを有する照明装置に関する。
【背景技術】
【０００２】
ＣＣＦＬ（Cold  Cathode  Fluorescent  Lamp：冷陰極蛍光ランプ）は、ＣＣＦＬ内に存在する初期電子を利用して放電を開始する。ＣＣＦＬは、その放電に伴って、点灯を開始する。【０００３】
ＣＣＦＬが刺激を受けると、初期電子が生成される。例えば、周囲の光がＣＣＦＬに照射されると、初期電子は、ＣＣＦＬ内に生成される。なお、ＣＣＦＬは、初期電子を自ら生成することができない。このため、ＣＣＦＬは、明るいところでは、通電後直ちに始動するが、暗いところでは始動が困難になる。【０００４】
特許文献１および２のそれぞれには、ＣＣＦＬの始動特性を向上することが可能な照明装置が記載されている。具体的には、特許文献１および２のそれぞれには、ＣＣＦＬと、ＣＣＦＬ通電時に通電されて発光するＬＥＤと、を備えた照明装置が記載されている。【０００５】
この照明装置では、まず、インバータ等を含む駆動回路が、ＣＣＦＬ用配線およびＬＥＤ用配線を介して、ＣＣＦＬおよびＬＥＤに電力を供給し、それによって、ＬＥＤがＣＣＦＬを照射する。このため、ＣＣＦＬが暗黒の場所にあっても、ＣＣＦＬ内に初期電子が生成され、ＣＣＦＬの始動特性が向上する。
【特許文献１】特開平１−１３０４６２号公報
【特許文献２】特開平８−３３９７８２号公報
【発明の開示】
【発明が解決しようとする課題】
【０００６】
特許文献１および２のそれぞれに記載された照明装置では、ＬＥＤ用配線およびＣＣＦＬ用配線は、インバータ等の駆動回路と接続されなければならない。このため、駆動回路と２種類の配線との接続が面倒であるという課題があった。例えば、ユーザは、駆動回路の接続端子と２種類の配線との接続を間違えないように注意を払わなければならなかった。【０００７】
本発明の目的は、上述した課題を解決可能な照明装置を提供することにある。
【課題を解決するための手段】
【０００８】
本発明の照明装置は、冷陰極蛍光ランプと、駆動電圧を生成し当該駆動電圧を前記冷陰極蛍光ランプに供給する駆動手段と、前記駆動手段が前記駆動電圧を生成している間に当該駆動手段から発せられる磁束の変化に応じて電力を生成する発電手段と、前記発電手段にて生成された電力が供給された場合に、前記冷陰極蛍光ランプ内に初期電子を生成する生成手段と、を含む。
【発明の効果】
【０００９】
本発明によれば、駆動電圧の供給源と配線との接続を簡略化することが可能になる。
【図面の簡単な説明】
【００１０】
【図１】本発明の一実施形態の照明装置を示した一部断面図である。
【図２】シート部材６の一例を示した正面図である。
【符号の説明】
【００１１】
１      ＣＣＦＬ
１Ａ    バルブ
１ａ、１ｂ  配線
２      インバータ
２ａ    配線
３      筐体
４      コイル
５      ＬＥＤ
６      シート部材
【発明を実施するための最良の形態】
【００１２】
以下、本発明の実施形態を図面を参照して説明する。【００１３】
図１は、本発明の一実施形態の照明装置を示した一部断面図である。【００１４】
図１において、照明装置は、ＣＣＦＬ（冷陰極蛍光ランプ）１と、インバータ２と、筐体３と、コイル４と、ＬＥＤ５と、シート部材６と、を含む。【００１５】
ＣＣＦＬ１は、管状のガラス製のバルブ１Ａを有する。バルブ１Ａの内面には、蛍光体膜が形成されている。バルブ１Ａ内には、アルゴン（Ａｒ）またはネオン（Ｎｅ）などの不活性ガスと、水銀（Ｈｇ）とが封入されている。バルブ１Ａの両端には、冷陰極形の電極が設けられている。冷陰極形の電極のそれぞれは、配線１ａおよび１ｂを介してインバータ２と接続されている。【００１６】
インバータ２は、一般的に駆動手段または駆動部と呼ぶことができる。インバータ２は、例えば、スイッチング素子およびトランスを有するＤＣ／ＡＣコンバータである。【００１７】
インバータ２は、不図示の電源回路から配線２ａを介して供給される直流電圧（例えば、２４Ｖ）を、交流駆動電圧（例えば、４０ｋＨｚ、１５００Ｖ）に変換する。直流電圧は、２４Ｖに限らず適宜変更可能である。交流駆動電圧は、１５００Ｖに限らず、ＣＣＦＬ１の形状（長さ等）に応じて適宜変更される。交流駆動電圧の周波数は、４０ｋＨｚに限らず適宜変更可能である。【００１８】
インバータ２は、その交流駆動電圧を、配線１ａおよび１ｂを介して、ＣＣＦＬ１に供給する。なお、インバータ２が交流駆動電圧を生成している間、インバータ２から発せられる磁束が変化する。【００１９】
筐体３は、インバータ２を内蔵する。また、筐体３には、ＣＣＦＬ１が設けられている。【００２０】
コイル４は、一般的に発電手段または発電部と呼ぶことができる。コイル４は、インバータ２が交流駆動電圧を生成している間にインバータ２から発せられる磁束の変化に応じて、電力を生成する。【００２１】
なお、発電手段または発電部としてコイルが用いられると、発電手段または発電部の構成を簡略化が可能になる。【００２２】
また、発電手段または発電部は、コイルに限らず適宜変更可能である。例えば、発電手段または発電部は、コイルを有する昇圧回路でもよい。【００２３】
ＬＥＤ５は、一般的に生成手段、生成部、発光手段、または発光部と呼ぶことができる。【００２４】
ＬＥＤ５は、コイル４と接続されている。ＬＥＤ５は、コイル４が生成した電力を受け付けると、ＣＣＦＬ１に光を照射して、ＣＣＦＬ１内に初期電子を生成する。【００２５】
生成手段、生成部、発光手段、または発光部としてＬＥＤが用いられると、生成手段、生成部、発光手段、または発光部の構成の簡略化および小型化が可能になる。【００２６】
生成手段または生成部は、ＬＥＤに限らず適宜変更可能である。例えば、生成手段または生成部は、回転子に紙等で形成されたカムが設けられたモータでもよい。この場合、回転子の回転に伴い、カムの一部がＣＣＦＬ１に接する。モータは、カムによってＣＣＦＬ１に刺激を与えることによって、ＣＣＦＬ１内に初期電子を生成する。【００２７】
また、発光手段または発光部は、ＬＥＤに限らず適宜変更可能である。例えば、発光手段または発光部は、小型電球でもよい。なお、発光手段と発光部のそれぞれは、電力の供給のタイミングと点灯の開始のタイミングの間の時間が、周囲の明るさに依存しないという特徴を有する光源である。【００２８】
シート部材６には、コイル４およびＬＥＤ５が設けられている。シート部材６は、ＬＥＤ５がＣＣＦＬ１と対向するように、筐体３に設置されている。【００２９】
例えば、コイル４およびＬＥＤ５がシート部材６上に載置され、その後、シート部材６が、接着剤によって筐体３に載置されてもよい。【００３０】
図２は、コイル４とＬＥＤ５が設けられているシート部材６の一例を示した正面図である。なお、図２において、図１に示したものと同一のものには同一符号を付してある。【００３１】
なお、コイル４とＬＥＤ５は、シート部材６を介さずに、筐体３上に直接設けられてもよい。【００３２】
次に、動作を説明する。【００３３】
図１に示した照明装置を点灯させる場合、直流電圧が、配線２ａを介してインバータ２に供給される。【００３４】
インバータ２は、直流電圧を受け付けると、その直流電圧を交流駆動電圧に変換する。インバータ２は、その交流駆動電圧を、ＣＣＦＬ１の電極に印加する。このため、ＣＣＦＬ１の電極間に、電界が発生する。【００３５】
インバータ２が直流電圧を交流駆動電圧に変換している間、インバータ２から発せられる磁束が変化する。【００３６】
コイル４は、この磁束の変化に応じて電力を生成する。ＬＥＤ５は、この電力を使用して発光する。ＬＥＤ５からの光は、ＣＣＦＬ１に照射される。【００３７】
ＬＥＤ５からの光が照射されると、バルブ１Ａ内では光電変換が行われる。このため、放電開始に必要な初期電子が生成される。【００３８】
この初期電子は、ＣＣＦＬ１内の電界によって加速され、バルブ１Ａ内のガス内の原子と衝突を繰り返す。このため、バルブ１Ａ内に多数の電子が生成される。【００３９】
この衝突によって生成された電子が水銀原子に衝突すると、水銀原子は励起する。その後、水銀原子は、紫外線を発して基底状態に戻る。【００４０】
バルブ１Ａ内の蛍光体膜は、水銀原子からの紫外線を受け付けると発光する。【００４１】
本実施形態によれば、コイル４は、インバータ２から発せられる磁束の変化に応じて、電力を生成する。ＬＥＤ５は、その電力を使ってＣＣＦＬ１に光を照射して、ＣＣＦＬ１内に初期電子を生成する。【００４２】
このため、ＬＥＤ５とインバータ２とを接続する配線を不要にできる。よって、インバータ２と配線との接続を簡略化することが可能になる。【００４３】
本実施形態では、発電手段または発電部として、コイル４が使用される。この場合、発電手段または発電部の構成を簡略化できる。【００４４】
本実施形態では、生成手段または発生部として、発光手段または発光部が使用される。この場合、ＣＣＦＬ１と接触することなく、ＣＣＦＬ１内に初期電子を生成することが可能となる。【００４５】
本実施形態では、生成手段、生成部、発光手段、または発光部として、ＬＥＤが使用される。この場合、生成手段、生成部、発光手段、または発光部の構成の簡略化および小型化が可能になる。【００４６】
本実施形態では、コイル４およびＬＥＤ５が設けられているシート部材６が、ＬＥＤ５がＣＣＦＬ１と対向するように、筐体３に設置されている。この場合、コイル４とＬＥＤ５とを一体の部材として扱うことが可能となる。よって、組み立て効率が向上する。【００４７】
なお、ＬＥＤ５は、紫外光または赤外光を発することが好ましい。【００４８】
以上、実施形態を参照して本願発明を説明したが、本願発明は上記実施形態に限定されるものではない。本願発明の構成や詳細には、本願発明のスコープ内で当業者が理解し得る様々な変更をすることができる。【００４９】
この出願は、２００７年８月８日に出願された日本出願特願２００７−２０６５２７を基礎とする優先権を主張し、その開示の全てをここに取り込む。
【図１】
2009020006.tif 000003
【図２】
2009020006.tif 000004
【国際調査報告】
2009020006.tif 000005
2009020006.tif 000006